(57)【特許請求の範囲】
【請求項１】
刃部を有する電気かみそり本体と、該電気かみそり本体に装着されるキャップ基台と、該キャップ基台に取り付けられるアタッチメントとを備え、
前記アタッチメントをキャップ基台に対してスライド可能かつ着脱可能に構成し、
前記キャップ基台にトリマーユニットをスライド可能に案内支持させたことを特徴とする電気かみそり。
【請求項２】
前記アタッチメントをキャップ基台から取り外す際の操作力を、アタッチメントをキャップ基台に対してスライドさせる操作力よりも大きく設定したことを特徴とする請求項１に記載の電気かみそり。
【請求項３】
前記キャップ基台を電気かみそり本体に装着したときに、前記キャップ基台で電気かみそり本体の刃部を覆うように構成したことを特徴とする請求項１又は２に記載の電気かみそり。
【請求項４】
前記キャップ基台は、前記電気かみそり本体の前面側上部を覆う前面壁と、該前面壁よりも後方側に配設された側面壁とを備え、
前記前面壁の裏面側に係合凹部を形成し、前記側面壁に爪を形成すると共に、
前記電気かみそり本体の前面側上部に、前記前面壁の係合凹部に係合する突起を形成し、前記電気かみそり本体の背面側上部に、前記側面壁の爪に係合する係合溝部を形成し、
前記突起を係合溝部の高さよりも高い位置に配設したことを特徴とする請求項１〜３のいずれか１項に記載の電気かみそり。
【発明の詳細な説明】
【技術分野】
【０００１】
本発明は、電気かみそりに関する。
【背景技術】
【０００２】
従来から、アタッチメントをトリマーユニットにスライド可能に構成した電気かみそりが特許文献１に開示されている。この特許文献１に記載された電気かみそりは、アタッチメントを装着した状態でも、主刃のみの使用が可能である。
【０００３】
また、アタッチメントユニットを本体に取り付けたせん断刃ユニット（例えば、電気かみそり）が特許文献２に開示されている。このせん断刃ユニットにおいては、アタッチメントユニット内にトリマーをスライド可能に配設している。
【特許文献１】特表２００７−５３４３９４公報
【特許文献２】特開２００７−２０９６１２公報
【発明の開示】
【発明が解決しようとする課題】
【０００４】
しかしながら、前記特許文献１に記載された電気かみそりでは、アタッチメントをトリマユニットに装着しているため、トリマーユニットが上端位置に配置されている場合には、トリマーユニットが本体に下方のみで固定されるため、特にトリミング時に、トリマーユニットの本体部の前後方向の剛性が低下するおそれがある。
【０００５】
また、前記特許文献２に記載されたせん断刃ユニットでは、アタッチメントユニット自体を本体に装着するため、せん断刃ユニットが大きくなり持ち運びに不便となるという問題がある。
【０００６】
そこで、本発明は、ユニット全体が小型化されると共に、トリマー刃の支持剛性が高い電気かみそりを提供することを目的とする。
【課題を解決するための手段】
【０００７】
前記課題を解決するため、本発明に係る電気かみそりは、刃部を有する電気かみそり本体と、該電気かみそり本体に装着されるキャップ基台と、該キャップ基台に取り付けられるアタッチメントとを備え、前記アタッチメントをキャップ基台に対してスライド可能かつ着脱可能に構成し、前記キャップ基台にトリマーユニットをスライド可能に案内支持させたことを特徴とする。
【発明の効果】
【０００８】
本発明に係る電気かみそりによれば、アタッチメントをキャップ基台に対してスライド可能かつ着脱可能に構成したため、電気かみそりのユニット全体を小型化することができる。即ち、アタッチメントが不要なときは、該アタッチメントをキャップ基台から取り外して使用できるため、小型化される。また、アタッチメントをキャップ基台から取り外した状態において、電気かみそりを持ち運ぶ場合にキャップ基台が保護キャップの機能を果たす。
【発明を実施するための最良の形態】
【０００９】
以下、本発明を適用した具体的な実施の形態について図面を参照しながら詳細に説明する。
【００１０】
図１は本発明の実施形態による電気かみそりを正面側から見た斜視図、図２は図１の正面図、及び図３は図２の縦断面図である。
【００１１】
これらの図に示すように、本発明の実施形態による電気かみそり１は、上端部に刃部７９が配設された電気かみそり本体６７と、該電気かみそり本体６７の前面側上部から背面側上部を覆うキャップ基台１５と、該キャップ基台１５の背面側に取り付けられたアタッチメント３と、電気かみそり本体６７にスライド可能に取り付けられたトリマーユニット３１とを備えている。電気かみそり本体６７の前面には、略円形状のスイッチ６９が配設されている。
【００１２】
図４は本発明の実施形態によるアタッチメント、キャップ基台、及びトリマーユニットの分解斜視図である。
【００１３】
電気かみそり本体６７には、キャップ基台１５が装着され、該キャップ基台１５の背面側にアタッチメント３が取り付けられ、キャップ基台１５に形成されたトリマーユニット用収容部２９内には、トリマーユニット３１が収納配置されている。アタッチメント３は、キャップ基台１５にスライド可能かつ、着脱可能に構成されている。
【００１４】
前記アタッチメント３の左右に設けられた側壁８１の内面側には、上下方向（アタッチメント３の長手方向）に沿って係合凹部７７が延設されている。該係合凹部７７は、断面矩形状に形成されている。また、背面壁８３の上端部には、櫛部８７が形成され、背面壁８３の高さ方向中央部には、円筒状の小さな嵌合突起１１，１１が一対突設されており、該嵌合突起１１，１１の下方には、楕円状の挿通口５が形成されている。該挿通口５には、ロックボタン７が背面側に突出して配設される。また、前記嵌合突起１１には、板状の金属製のロックバネ９が取り付けられる。具体的には、ロックバネ９の嵌合孔１３，１３が嵌合突起１１，１１に嵌合されて取り付けられる。このロックバネ９は、左右両側の脚部の下端に突起部７３，７３が形成され、中央側の脚部の左右両端に係合部７１が形成されている。後述するように、係合部７１がキャップ基台１５の係合凹部２７に係合されることにより、キャップ基台１５に対するアタッチメント３の上下スライド移動を阻止する。
【００１５】
前記キャップ基台１５の前部には、電気かみそり本体６７の前面側上部を覆う前面壁１７が設けられており、後部には、左右一対の側面壁１９，１９と、該側面壁１９，１９の後端同士を左右に連結する後面壁２１とを有する。側面壁１９の外面には、外方に突出する凸部２３が上下方向に沿って形成されており、内面には、内方に突出する凸部５１が上下方向に沿って形成されている。この側面壁１９の外面に形成された凸部２３は、アタッチメント３の係合凹部７７にスライド可能に係合されている。図４，６に示すように、前記後面壁２１の略中央部には、矩形状の開口部２５が形成され、該開口部２５の左右両側には、係合凹部２７，２７が上下方向に沿って所定間隔をおいて複数形成されている。
【００１６】
前記トリマーユニット３１は、トリマー本体８５と、該トリマー本体８５に取り付けられる固定刃３３及び可動刃３５と、固定刃３３及び可動刃３５が設置された状態でトリマー本体８５に取り付けられるカバー４９とを備え、前記可動刃３５には、トリマ駆動子４３及びばね４７が取り付けられる。トリマー本体８５の左右両側には、側面３９，３９が一体形成されており、該側面３９の上端部には、上下方向に沿って溝部３７が形成されている。この溝部３７は、前記キャップ基台１５の側面壁１９の内面に形成された凸部５１に係合される。
【００１７】
また、トリマーユニット３１を操作して上方に移動させると、溝部３７がキャップ基台１５の凸部２３に係合し、トリマ上端位置におけるトリマ先端部とキャップ基台１５との固定が行われ、これによってアタッチメント３とトリマーユニット３１との間隔が固定でき、トリミング高さを安定化させることができる。
【００１８】
図５は本発明の実施形態によるロックボタン近傍を示す拡大断面図、図６は本発明の実施形態によるキャップ基台１５の背面図である。
【００１９】
ロックボタン７は、ロックバネ９の中央側の脚部に嵌合された状態で挿通口５から背面側に突出している。また、キャップ基台１５の後面壁には開口部２５が形成され、該開口部２５の周縁には係合凹部２７が形成されている。このため、ロックボタン７を押し込むとロックバネ９が弾性変形して係合部７１（図４参照）がキャップ基台１５の係合凹部２７に係合される。
【００２０】
なお、図４に示すように、アタッチメント３はキャップ基台１５に上方から装着され、アタッチメント３をキャップ基台１５から取り外す際の操作力は、アタッチメント３をキャップ基台１５に対してスライドさせる操作力よりも大きくなるように、ロックボタン７を挟むキャップ基台１５とアタッチメント３との隙間を適切に設定している。
【００２１】
図７は本発明の実施形態による電気かみそりを上方から見た平面図、図８は図７のＡ−Ａ線による縦断面図、図９は図８のＢ部を拡大した断面図、図１０は本発明の実施形態によるキャップ基台を斜め上方から見た斜視図、図１１は本発明の実施形態による電気かみそり本体の本体ハウジングを斜め上方から見た斜視図、及び、図１２は図１１のＣ部を拡大した斜視図である。
【００２２】
図９に示すように、電気かみそり本体６７を構成する本体ハウジング５３の前面側上部には、前方に突出する突起５５が形成されており、背面側上部には係合溝部６３が形成されている。該係合溝部６３は、詳細には図１１，１２に示すように、本体ハウジング５３の背面側に左右一対に配設されたリブ６５の上端に形成され、下方に向けて矩形状に切り欠いた形状をしている。
【００２３】
また、キャップ基台１５は、図８，９に示すように、電気かみそり本体６７における刃部７９を覆うように構成されており、前面壁１７の裏面側には、前記電気かみそり本体６７における突起５５に嵌合する係合凹部５７が形成されている。また、図１０に示すように、キャップ基台１５の側面壁１９の底面６１には、左右方向の内側に向けて突設された爪５９，５９が左右一対に設けられており、爪５９は本体ハウジング５３の係合溝部６３に係合されている。さらに、図９に示すように、突起５５の高さは、係合溝部６３の底面よりも高い位置に配置されている。
【００２４】
なお、図１１に示すように、本体ハウジング５３の上部には開口部が設けられており、該開口部は図外の上蓋によって封鎖される。本体ハウジング５３の内方には、モータ及び電池が配設される。
【００２５】
前記構成を有する本実施形態による電気かみそり１においては、図４に示すように、ロックボタン７を押し込み、ロックバネ９の係合部７１をキャップ基台１５の係合凹部２７から外し、この状態で、アタッチメント３をキャップ基台１５に対して上下方向にスライドさせれば良い。ここで、図６に示すように、キャップ基台１５の後面壁２１の背面側には、係合突起７５，７５が形成されているため、通常状態では、ロックバネ９の突起部７３，７３がキャップ基台１５の係合突起７５，７５に係合されている。従って、アタッチメント３を上下方向にスライドさせるときには、ロックバネ９の突起部７３が係合突起７５を乗り越えるため、ロックバネ９によってクリック力が得られる。
【００２６】
以下に、本発明の実施形態による作用効果を説明する。
【００２７】
本実施形態では、前記アタッチメント３をキャップ基台１５から取り外す際の操作力を、アタッチメント３をキャップ基台１５に対してスライドさせる操作力よりも大きく設定している。このため、アタッチメント３をスライドさせるときに、誤ってアタッチメント３がキャップ基台１５から外れることがない。
【００２８】
前記キャップ基台１５を電気かみそり本体６７に装着したときに、前記キャップ基台１５で電気かみそり本体６７の刃部７９を覆うように構成している。このため、トリミングによって切れた髭屑が刃部７９に付着することがない。また、刃部７９に溜まった髭屑が飛散することを防止することができ、トリミング時の髭が刃部７９に誤って導入されることがなくなり、トリミング時における刃部７９の操作音を遮断することができる。
【００２９】
前記キャップ基台１５にトリマーユニット３１をスライド可能に案内支持したため、トリマーユニット３１の取付剛性を高めることができ、刃部７９とアタッチメント３の櫛部８７との距離が安定することによるトリミング高さのバラツキを抑制することができる。
【００３０】
前記キャップ基台１５は、前記電気かみそり本体６７の前面側上部を覆う前面壁１７と、該前面壁１７よりも後方側に配設された側面壁１９とを備え、前記前面壁１７の裏面側に係合凹部５７を形成し、前記側面壁１９に爪５９を形成すると共に、前記電気かみそり本体６７の前面側上部に、前記前面壁１７の係合凹部５７に係合する突起５５を形成し、前記電気かみそり本体６７の背面側上部に、前記側面壁１９の爪５９に係合する係合溝部６３を形成し、前記突起５５を係合溝部６３の高さよりも高い位置に配設している。
【００３１】
従って、トリミングを行っているときのトリマーユニット３１にかかる荷重によってキャップ基台１５が電気かみそり本体６７から外れることを効率的に防止することができる。つまり、図９に示すように、トリミングを行っているときは、キャップ基台１５には、前側の係合凹部５７を中心として背面側の爪５９に実線で示す矢印方向の荷重がかかる。しかし、この荷重は、一点鎖線で示す爪５９の延設方向（軸方向）に対して背面側にずれているため、爪５９が係合溝部６３から抜けにくくなっている。従って、トリミングを行っているときのトリマーユニット３１にかかる荷重によってキャップ基台１５が電気かみそり本体６７から外れることを効率的に防止することができる。
【図面の簡単な説明】
【００３２】
【図１】本発明の実施形態による電気かみそりを正面側から見た斜視図である。
【図２】図１の正面図である。
【図３】図２の縦断面図である。
【図４】本発明の実施形態によるアタッチメント、キャップ基台、及びトリマーユニットの分解斜視図である。
【図５】本発明の実施形態によるロックボタン近傍を示す拡大断面図である。
【図６】本発明の実施形態によるキャップ基台の背面図である。
【図７】本発明の実施形態による電気かみそりを上方から見た平面図である。
【図８】図７のＡ−Ａ線による縦断面図である。
【図９】図８のＢ部を拡大した断面図である。
【図１０】本発明の実施形態によるキャップ基台を斜め上方から見た斜視図である。
【図１１】本発明の実施形態による電気かみそり本体の本体ハウジングを斜め上方から見た斜視図である。
【図１２】図１１のＣ部を拡大した斜視図である。
【符号の説明】
【００３３】
１…電気かみそり
３…アタッチメント
５…挿通口
７…ロックボタン
９…ロックバネ
１１…嵌合突起
１３…嵌合孔
１５…キャップ基台
１７…前面壁
１９…側面壁
２１…後面壁
２３…凸部
２５…開口部
２７…係合凹部
２９…トリマーユニット用収容部
３１…トリマーユニット
３３…固定刃
３５…可動刃
３７…溝部
３９…側面
４３…トリマ駆動子
４９…カバー
５１…凸部
５３…本体ハウジング
５５…突起
５７…係合凹部
５９…爪
６１…底面
６３…係合溝部
６５…リブ
６７…本体
６９…スイッチ
７１…係合部
７３…突起部
７５…係合突起
７７…係合凹部
７９…刃部
８１…側壁
８３…背面壁
８５…トリマー本体
８７…櫛部
【図１】
0004915818.tif 000002
【図２】
0004915818.tif 000003
【図３】
0004915818.tif 000004
【図４】
0004915818.tif 000005
【図５】
0004915818.tif 000006
【図６】
0004915818.tif 000007
【図７】
0004915818.tif 000008
【図８】
0004915818.tif 000009
【図９】
0004915818.tif 000010
【図１０】
0004915818.tif 000011
【図１１】
0004915818.tif 000012
【図１２】
0004915818.tif 000013